(57)【特許請求の範囲】
【請求項１】
吸着剤を有して該吸着剤を空気と接触させる吸着素子（81,82）（90）と、冷媒を循環させて冷凍サイクルを行う冷媒回路（100）とを備え、
第１空気を吸着素子（81,82）（90）と冷媒回路（100）の蒸発器（103,104）とに通過させる吸着動作と、第２空気を冷媒回路（100）の凝縮器（102）と吸着素子（81,82）（90）とに通過させる再生動作とを行い、少なくとも第２空気を室内へ供給して第１空気を排出する加湿運転が可能に構成された調湿装置であって、
第１空気中の水分により蒸発器（103,104）で発生したドレン水を、加湿運転時に、第１空気の経路中に放出して蒸発させるように構成され、
上記ドレン水を、第１空気の経路中で吸着動作中の吸着素子（81,82）（90）の上流側に供給するように構成されていることを特徴とする調湿装置。
【請求項２】
第１吸着素子（81）と第２吸着素子（82）とを備え、
第１吸着素子（81）で吸着動作を行うとともに第２吸着素子（82）で再生動作を行う第１動作と、第２吸着素子（82）で吸着動作を行うとともに第１吸着素子（81）で再生動作を行う第２動作とを交互に切り換え、少なくとも第２空気を室内へ供給するように構成されていることを特徴とする請求項１記載の調湿装置。
【請求項３】
吸着素子（81,82）は、第１空気または第２空気が交互に切り換えられて流れる調湿側通路（85）と、冷却用流体が流れる冷却側通路（86）とを備え、
該吸着素子（81）は、第１空気と冷却用流体とが熱交換を行って、吸着素子（81,82）における第１空気の吸着熱を冷却用流体で回収するように構成されていることを特徴とする請求項２記載の調湿装置。
【請求項４】
吸着素子（90）は、ロータ状に構成されるとともに第１空気の経路と第２空気の経路にまたがって配置され、
上記吸着素子（90）を連続的または断続的に回転させながら第１空気の経路側での吸着動作と第２空気の経路側での再生動作とを同時に行い、少なくとも第２空気を室内へ供給するように構成されていることを特徴とする請求項１記載の調湿装置。
【発明の詳細な説明】
【０００１】
【発明の属する技術分野】
本発明は、空気の湿度調節を行う調湿装置に関し、特に吸着素子と冷媒回路を備えた調湿装置に関するものである。
【０００２】
【従来の技術】
従来より、特開平１１−２４１８３７号公報に開示されているように、例えばロータ状の吸着素子を用いた調湿装置が知られている。この調湿装置では、減湿された空気を室内へ供給する除湿運転と、加湿された空気を室内へ供給する加湿運転とが切り換えて行われる。吸着素子は、ケーシングに収納されると共に、その中心軸周りに回転駆動されるように構成されている。また、吸着素子は、その一部を吸着側空気が通過し、残りの部分を電気ヒータで加熱された再生側空気が通過する。
【０００３】
上記調湿装置の除湿運転では、吸着素子の一部で水分を奪われた吸着側空気が室内へ供給される。また、吸着素子の残りの部分は加熱された再生側空気によって再生され、吸着素子を通過した再生側空気が室外へ排出される。一方、加湿運転の場合は、吸着素子から脱離した水分を付与された再生側空気が室内へ供給され、吸着素子に水分を奪われた吸着側空気が室外へ排出される。そして、吸着素子が回転するのに伴って、水分を吸着した部分が順次再生され、かつ再生された部分が順次水分を吸着することになり、除湿運転または加湿運転が連続的に行われる。
【０００４】
上記調湿装置では、再生側空気を加熱するための熱源として電気ヒータを用いているが、これに代えてヒートポンプを熱源に用いることも考えられる。通常、ヒートポンプを構成する冷媒回路には、２つの熱交換器が設けられ、その一方が蒸発器となって他方が凝縮器となる。凝縮器となる熱交換器では、再生側空気が冷媒との熱交換によって加熱される。一方、蒸発器となる熱交換器では、吸着素子を通過後の吸着側空気が冷媒との熱交換を行う。
【０００５】
そして、除湿時には吸着素子で減湿された吸着側空気が蒸発器で冷却され、室内へ供給される一方、再生側空気が凝縮器で加熱されて吸着素子を再生し、室外へ排出される。また、加湿時には凝縮器で加熱された再生側空気が吸着素子で加湿され、室内へ供給される一方、加湿に備えて吸着空気に水分を与えた吸着側空気が蒸発器を通過し、室外へ排出される。
【０００６】
【発明が解決しようとする課題】
ところで、加湿時に室外温度が所定値より低いと除湿側の空気の水分により蒸発器が着霜し、デフロスト運転の際に蒸発器でドレン水が発生する。このため、ドレン水が蒸発器から滴下して、装置ケーシングの錆の原因となったり、室内への水滴の落下の原因となる。
【０００７】
本発明は、このような問題点に鑑みて創案されたものであり、その目的とするところは、調湿装置に冷媒回路を適用した場合に蒸発器で発生するドレン水による上記の問題を解消することである。
【０００８】
【課題を解決するための手段】
本発明は、上記ドレン水を加湿運転時に吸着側の第１空気の経路中に放出して蒸発させるようにしたものである。
【０００９】
具体的に、本発明が講じた第１の解決手段は、吸着剤を有して該吸着剤を空気と接触させる吸着素子（81,82）（90）と、冷媒を循環させて冷凍サイクルを行う冷媒回路（100）とを備え、第１空気を吸着素子（81,82）（90）と冷媒回路（100）の蒸発器（103,104）とに通過させる吸着動作と、第２空気を冷媒回路（100）の凝縮器（102）と吸着素子（81,82）（90）とに通過させる再生動作とを行い、少なくとも第２空気を室内へ供給して第１空気を排出する加湿運転が可能に構成された調湿装置を前提としている。
【００１０】
そして、この調湿装置は、第１空気中の水分により蒸発器（103,104）で発生したドレン水を、加湿運転時に、第１空気の経路中に放出して蒸発させるように構成されていることを特徴としている。
【００１１】
特に、この調湿装置では、上記ドレン水を、第１空気の経路中で吸着動作中の吸着素子（81,82）（90）の上流側に供給するように構成されていることを特徴としている。
【００１２】
この第１の解決手段においては、加湿運転時に吸着側の第１空気により蒸発器（103,104）で発生したドレン水は、該第１空気中に戻されて蒸発し、再度該第１空気に含まれる。除湿運転時に吸着側の第１空気に水分を戻すことはできないが、加湿運転時にはこのような操作が可能である。
【００１３】
特に、ドレン水が吸着素子（81,82）（90）の上流側に供給されることで、該ドレン水が除湿側の第１空気中で蒸発し、該第１空気に含まれる。このため、水分を吸着素子（81,82）（90）にさらに吸着させることができる。
【００１４】
また、本発明が講じた第２の解決手段は、上記第１の解決手段において、吸着素子（81,82）として第１吸着素子（81）と第２吸着素子（82）とを備え、第１吸着素子（81）で吸着動作を行うとともに第２吸着素子（82）で再生動作を行う第１動作と、第２吸着素子（82）で吸着動作を行うとともに第１吸着素子（81）で再生動作を行う第２動作とを交互に切り換え、少なくとも第２空気を室内へ供給するように構成されていることを特徴としている。
【００１５】
この第２の解決手段においては、除湿運転を行う場合には第１動作と第２動作とを交互に切り換えながら、吸着素子（81,82）での吸着動作の際に減湿された第１空気が室内へ供給される。また、加湿運転時には第１動作と第２空気とを交互に切り換えながら、吸着素子（81,82）での再生動作の際に加湿された第２空気が室内へ供給される。つまり、この第２の解決手段では、２つの吸着素子（81,82）を吸着側と再生側で交互に切り換えて用いる、いわゆるバッチ式の動作が行われる。
【００１６】
また、本発明が講じた第３の解決手段は、上記第２の解決手段において、吸着素子（81,82）が、第１空気または第２空気が交互に切り換えられて流れる調湿側通路（85）と、冷却用流体が流れる冷却側通路（86）とを備えるとともに、第１空気と冷却用流体とが熱交換を行って、吸着素子（81,82）における第１空気の吸着熱を冷却用流体で回収するように構成されていることを特徴としている。例えば、冷却用流体としては、凝縮器（104）を通過する前の第２空気を用いることができる。
【００１７】
この第３の解決手段においては、上記第２の解決手段において吸着動作を行う際に発生した第１空気の吸着熱が冷却用流体に回収されることで、該第１空気が冷却される。
【００１８】
また、本発明が講じた第４の解決手段は、上記第１の解決手段において、吸着素子（90）が、ロータ状に構成されるとともに第１空気の経路と第２空気の経路にまたがって配置され、吸着素子（90）を連続的または断続的に回転させながら第１空気の経路側での吸着動作と第２空気の経路側での再生動作とを同時に行い、少なくとも第２空気を室内へ供給するように構成されていることを特徴としている。
【００１９】
この第４の解決手段において、除湿運転を行う場合には、吸着動作により減湿された第１空気が室内へ供給される。その際、吸着素子（90）の水分を吸着した部分は、該吸着素子（90）が回転することにより第２空気の経路内へ移動して再生され、さらに回転して第１空気の経路内へ移動することにより再度吸着動作に使用される。
【００２０】
また、加湿運転時には、再生動作により加湿された第２空気が室内へ供給される。その際、吸着素子（90）の水分を放出した部分は、該吸着素子（90）が回転することにより第１空気の経路内へ移動して水分を吸着し、さらに回転して第２空気の経路内へ移動することにより再度再生動作に使用される。
【００２１】
【発明の効果】
上記第１の解決手段によれば、第１空気中の水分により蒸発器（103,104）で発生したドレン水が、加湿運転時に第１空気中に含まれて室外などへ放出されるようにしているので、ドレン水の滴下による問題を防止できる。また、このように構成すると、例えばバッチ式（第２，第３解決手段を参照）やロータ式（第４解決手段を参照）の吸着素子（81,82）（90）を用いて吸着側と再生側を順次切り換えて運転を行う場合に、吸着素子（81,82）（90）の吸着側での水分吸着量が増えるために、吸着側を加湿側に切り換えて使用するときの水分の放出量も増えることとなり、加湿能力を向上させることが可能となる。
【００２２】
また、上記第２の解決手段によれば、第１吸着素子（81）と第２吸着素子（82）を用いてバッチ式の動作を行うことにより、少なくとも加湿運転を連続して行えるとともに、蒸発器（103,104）で発生したドレン水を連続して処理できる。
【００２３】
また、第３の解決手段によれば、上記第２の解決手段と同様の効果が得られるのに加えて、第１空気を冷却用流体で冷却できるため、特に除湿運転をする場合の吹き出し温度が上昇するのを防止できる。
【００２４】
また、上記第４の解決手段によれば、吸着素子（90）をロータ状にして回転させながら吸着動作と再生動作を同時に行うことにより、少なくとも加湿運転を連続して行えるとともに、蒸発器（103,104）で発生したドレン水を連続して処理できる。
【００２５】
【発明の実施の形態１】
以下、本発明の実施形態を図面に基づいて詳細に説明する。尚、以下の説明において、「上」 「下」 「左」 「右」 「前」 「後」 「手前」 「奥」 は、何れも参照する図面におけるものを意味している。
【００２６】
本実施形態に係る調湿装置は、減湿された第１空気が室内へ供給される除湿運転と、加湿された第２空気が室内へ供給される加湿運転とを切り換えて行うように構成されている。また、この調湿装置は、冷媒回路（100）と２つの吸着素子（81,82）とを備え、減湿側での吸着動作に用いる吸着素子（81,82）と加湿側での再生動作に用いる吸着素子（81,82）を交互に切り換える、いわゆるバッチ式の動作を行うように構成されている。ここでは、本実施形態に係る調湿装置の構成について、図１，図５，図６，図７を参照しながら説明する。
【００２７】
《調湿装置の全体構成》
図１，図５に示すように、上記調湿装置は、やや扁平な直方体状のケーシング（10）を備えている。このケーシング（10）には、吸着剤を有して該吸着剤を空気と接触させる２つの吸着素子（81,82）と、冷媒を循環させて冷凍サイクルを行う冷媒回路（100）（図７参照）とが収納されている。冷媒回路（100）には、圧縮機（101）、再生熱交換器（102）、第１熱交換器（103）、及び第２熱交換器（104）などが設けられている。この冷媒回路（100）の詳細については後述する。
【００２８】
図６に示すように、上記吸着素子（81,82）は、平板状の平板部材（83）と波形状の波板部材（84）とを交互に積層して構成されている。平板部材（83）は、長方形状に形成されている。また、波板部材（84）は、平板部材（83）と同様の長方形状に形成され、隣接する波板部材（84）の稜線方向が互いに９０°の角度で交差する姿勢で積層されている。そして、吸着素子（81,82）は、全体として直方体状ないし四角柱状に形成されている。
【００２９】
上記吸着素子（81,82）には、平板部材（83）及び波板部材（84）の積層方向において、調湿側通路（85）と冷却側通路（86）とが平板部材（83）を挟んで交互に区画形成されている。この吸着素子（81,82）において、平板部材（83）の長辺側の側面に調湿側通路（85）が開口し、平板部材（83）の短辺側の側面に冷却側通路（86）が開口している。また、この吸着素子（81,82）において、同図の手前側と奥側の端面は、調湿側通路（85）と冷却側通路（86）の何れも開口しない閉塞面を構成している。
【００３０】
上記吸着素子（81,82）において、調湿側通路（85）に臨む平板部材（83）の表面や、調湿側通路（85）に設けられた波板部材（84）の表面には、水蒸気を吸着するための吸着剤が塗布されている。この種の吸着剤としては、例えばシリカゲル、ゼオライト、イオン交換樹脂等が挙げられる。
【００３１】
図１に示すように、上記ケーシング（10）において、最も手前側には室外側パネル（11）が設けられ、最も奥側には室内側パネル（12）が設けられている。室外側パネル（11）には、その左端寄りに室外側吸込口（13）が形成され、その右端寄りに室外側吹出口（16）が形成されている。一方、室内側パネル（12）には、その左端寄りに室内側吹出口（14）が形成され、その右端寄りに室内側吸込口（15）が形成されている。
【００３２】
ケーシング（10）の内部には、手前側から奥側へ向かって順に、第１仕切板（20）と、第２仕切板（30）とが設けられている。ケーシング（10）の内部空間は、これら第１，第２仕切板（20,30）によって、前後に３つの空間に仕切られている。
【００３３】
室外側パネル（11）と第１仕切板（20）の間の空間は、上側の室外側上部流路（41）と下側の室外側下部流路（42）とに区画されている。室外側上部流路（41）は、室外側吹出口（16）によって室外空間と連通している。室外側下部流路（42）は、室外側吸込口（13）によって室外空間と連通している。
【００３４】
室外側パネル（11）と第１仕切板（20）の間の空間には、その右端寄りに排気ファン（96）が設置されている。また、室外側上部流路（41）には、第２熱交換器（104）が設置されている。第２熱交換器（104）は、いわゆるクロスフィン型のフィン・アンド・チューブ熱交換器であって、排気ファン（96）へ向けて室外側上部流路（41）を流れる空気と冷媒回路（100）の冷媒とを熱交換させるように構成されている。つまり、第２熱交換器（104）は、室外へ排出される空気と冷媒とを熱交換させるためのものである。
【００３５】
第１仕切板（20）には、第１右側開口（21）、第１左側開口（22）、第１右上開口（23）、第１右下開口（24）、第１左上開口（25）、及び第１左下開口（26）が形成されている。これらの開口（21,22,…）は、それぞれが開閉シャッタを備えて開閉自在に構成されている。
【００３６】
第１右側開口（21）及び第１左側開口（22）は、縦長の長方形状の開口である。第１右側開口（21）は、第１仕切板（20）の右端近傍に設けられている。第１左側開口（22）は、第１仕切板（20）の左端近傍に設けられている。第１右上開口（23）、第１右下開口（24）、第１左上開口（25）、及び第１左下開口（26）は、横長の長方形状の開口である。第１右上開口（23）は、第１仕切板（20）の上部における第１右側開口（21）の左隣に設けられている。第１右下開口（24）は、第１仕切板（20）の下部における第１右側開口（21）の左隣に設けられている。第１左上開口（25）は、第１仕切板（20）の上部における第１左側開口（22）の右隣に設けられている。第１左下開口（26）は、第１仕切板（20）の下部における第１左側開口（22）の右隣に設けられている。
【００３７】
第１仕切板（20）と第２仕切板（30）の間には、２つの吸着素子（81,82）が設置されている。これら吸着素子（81,82）は、所定の間隔をおいて左右に並んだ状態に配置されている。具体的には、右寄りに第１吸着素子（81）が設けられ、左寄りに第２吸着素子（82）が設けられている。
【００３８】
第１，第２吸着素子（81,82）は、それぞれにおける平板部材（83）及び波板部材（84）の積層方向がケーシング（10）の長手方向（図１における手前から奥へ向かう方向）と一致すると共に、それぞれにおける平板部材（83）等の積層方向が互いに平行となる姿勢で設置されている。更に、各吸着素子（81,82）は、左右の側面がケーシング（10）の側板と、上下面がケーシング（10）の天板及び底板と、前後の端面が室外側パネル（11）及び室内側パネル（12）とそれぞれ略平行になる姿勢で配置されている。
【００３９】
また、ケーシング（10）内に設置された各吸着素子（81,82）には、その左右の側面に冷却側通路（86）が開口している。そして、第１吸着素子（81）において冷却側通路（86）の開口する１つの側面と、第２吸着素子（82）において冷却側通路（86）の開口する１つの側面とは、互いに向かい合っている。
【００４０】
第１仕切板（20）と第２仕切板（30）の間の空間は、数枚の仕切板により、右側流路（51）、左側流路（52）、右上流路（53）、右下流路（54）、左上流路（55）、左下流路（56）、及び中央流路（57）に区画されている。
【００４１】
右側流路（51）は、第１吸着素子（81）の右側に形成され、第１吸着素子（81）の冷却側通路（86）に連通している。左側流路（52）は、第２吸着素子（82）の左側に形成され、第２吸着素子（82）の冷却側通路（86）に連通している。
【００４２】
右上流路（53）は、第１吸着素子（81）の上側に形成され、第１吸着素子（81）の調湿側通路（85）に連通している。右下流路（54）は、第１吸着素子（81）の下側に形成され、第１吸着素子（81）の調湿側通路（85）に連通している。左上流路（55）は、第２吸着素子（82）の上側に形成され、第２吸着素子（82）の調湿側通路（85）に連通している。左下流路（56）は、第２吸着素子（82）の下側に形成され、第２吸着素子（82）の調湿側通路（85）に連通している。
【００４３】
中央流路（57）は、第１吸着素子（81）と第２吸着素子（82）の間に形成され、両吸着素子（81,82）の冷却側通路（86）に連通している。この中央流路（57）は、図１，図５に現れる流路断面の形状が四角形状となっている。
【００４４】
再生熱交換器（102）は、いわゆるクロスフィン型のフィン・アンド・チューブ熱交換器であって、中央流路（57）を流れる空気と冷媒回路（100）の冷媒とを熱交換させるように構成されている。この再生熱交換器（102）は、中央流路（57）に配置されている。つまり、再生熱交換器（102）は、左右に並んだ第１吸着素子（81）と第２吸着素子（82）の間に設置されている。更に、再生熱交換器（102）は、ほぼ水平に寝かせられた状態で、中央流路（57）を上下に仕切るように設けられている。また、再生熱交換器（102）は、その上面が第１及び第２吸着素子（81,82）の下面よりも僅かに下となるように配置されている。
【００４５】
第１吸着素子（81）と再生熱交換器（102）の間には、右側シャッタ（61）が設けられている。この右側シャッタ（61）は、中央流路（57）における再生熱交換器（102）の下側部分と右下流路（54）との間を仕切るものであって、開閉自在に構成されている。一方、第２吸着素子（82）と再生熱交換器（102）の間には、左側シャッタ（62）が設けられている。この左側シャッタ（62）は、中央流路（57）における再生熱交換器（102）の下側部分と左下流路（56）との間を仕切るものであって、開閉自在に構成されている。
【００４６】
室外側パネル（11）と第１仕切板（20）の間の流路（41,42）と、第１仕切板（20）と第２仕切板（30）の間の流路（51,52,…）とは、第１仕切板（20）の開口（21,22,…）に設けられた開閉シャッタによって、連通状態と遮断状態に切り換えられる。具体的に、第１右側開口（21）を開口状態とすると、右側流路（51）と室外側下部流路（42）が連通する。第１左側開口（22）を開口状態とすると、左側流路（52）と室外側下部流路（42）が連通する。第１右上開口（23）を開口状態とすると、右上流路（53）と室外側上部流路（41）が連通する。第１右下開口（24）を開口状態とすると、右下流路（54）と室外側下部流路（42）が連通する。第１左上開口（25）を開口状態とすると、左上流路（55）と室外側上部流路（41）が連通する。第１左下開口（26）を開口状態とすると、左下流路（56）と室外側下部流路（42）が連通する。
【００４７】
第２仕切板（30）には、第２右側開口（31）、第２左側開口（32）、第２右上開口（33）、第２右下開口（34）、第２左上開口（35）、及び第２左下開口（36）が形成されている。これらの開口（31,32,…）は、それぞれが開閉シャッタを備えて開閉自在に構成されている。
【００４８】
第２右側開口（31）及び第２左側開口（32）は、縦長の長方形状の開口である。第２右側開口（31）は、第２仕切板（30）の右端近傍に設けられている。第２左側開口（32）は、第２仕切板（30）の左端近傍に設けられている。第２右上開口（33）、第２右下開口（34）、第２左上開口（35）、及び第２左下開口（36）は、横長の長方形状の開口である。第２右上開口（33）は、第２仕切板（30）の上部における第２右側開口（31）の左隣に設けられている。第２右下開口（34）は、第２仕切板（30）の下部における第２右側開口（31）の左隣に設けられている。第２左上開口（35）は、第２仕切板（30）の上部における第２左側開口（32）の右隣に設けられている。第２左下開口（36）は、第２仕切板（30）の下部における第２左側開口（32）の右隣に設けられている。
【００４９】
室内側パネル（12）と第２仕切板（30）の間の空間は、上側の室内側上部流路（46）と下側の室内側下部流路（47）とに区画されている。室内側上部流路（46）は、室内側吹出口（14）によって室内空間と連通している。室内側下部流路（47）は、室内側吸込口（15）によって室内空間と連通している。
【００５０】
室内側パネル（12）と第２仕切板（30）の間の空間には、その左端寄りに給気ファン（95）が設置されている。また、室内側上部流路（46）には、第１熱交換器（103）が設置されている。第１熱交換器（103）は、いわゆるクロスフィン型のフィン・アンド・チューブ熱交換器であって、給気ファン（95）へ向けて室内側上部流路（46）を流れる空気と冷媒回路（100）の冷媒とを熱交換させるように構成されている。つまり、第１熱交換器（103）は、室内へ供給される空気と冷媒とを熱交換させるためのものである。
【００５１】
第１仕切板（20）と第２仕切板（30）の間の流路と、第２仕切板（30）と室外側パネル（11）の間の流路とは、第２仕切板（30）の開口に設けられた開閉シャッタによって、連通状態と遮断状態に切り換えられる。具体的に、第２右側開口（31）を開口状態とすると、右側流路（51）と室内側下部流路（47）が連通する。第２左側開口（32）を開口状態とすると、左側流路（52）と室内側下部流路（47）が連通する。第２右上開口（33）を開口状態とすると、右上流路（53）と室内側上部流路（46）が連通する。第２右下開口（34）を開口状態とすると、右下流路（54）と室内側下部流路（47）が連通する。第２左上開口（35）を開口状態とすると、左上流路（55）と室内側上部流路（46）が連通する。第２左下開口（36）を開口状態とすると、左下流路（56）と室内側下部流路（47）が連通する。
【００５２】
《冷媒回路の構成》
図７に示すように、上記冷媒回路（100）は、冷媒の充填された閉回路である。冷媒回路（100）には、圧縮機（101）、再生熱交換器（102）、第１熱交換器（103）、第２熱交換器（104）、レシーバ（105）、四方切換弁（120）、及び電動膨張弁（110）が設けられている。この冷媒回路（100）では、冷媒を循環させることで蒸気圧縮式の冷凍サイクルが行われる。
【００５３】
冷媒回路（100）において、圧縮機（101）の吐出側は、再生熱交換器（102）の一端に接続されている。再生熱交換器（102）の他端は、レシーバ（105）を介して電動膨張弁（110）の一端に接続されている。電動膨張弁（110）の他端は、四方切換弁（120）の第１ポート（121）に接続されている。この四方切換弁（120）は、第２ポート（122）が第２熱交換器（104）の一端に接続され、第４ポート（124）が第１熱交換器（103）の一端に接続されている。また、四方切換弁（120）の第３ポート（123）は、封止されている。第１熱交換器（103）の他端と第２熱交換器（104）の他端とは、それぞれが圧縮機（101）の吸入側に接続されている。
【００５４】
四方切換弁（120）は、第１ポート（121）と第２ポート（122）が互いに連通して第３ポート（123）と第４ポート（124）が互いに連通する状態と、第１ポート（121）と第４ポート（124）が互いに連通して第２ポート（122）と第３ポート（123）が互いに連通する状態とに切り換わる。尚、上述のように、四方切換弁（120）の第３ポート（123）は、閉塞されている。つまり、本実施形態の冷媒回路（100）では、四方切換弁（120）が三方弁として用いられている。
【００５５】
−運転動作−
次に、上記調湿装置の運転動作について説明する。この調湿装置は、上述したように除湿運転と加湿運転とを切り換えて行う。また、この調湿装置は、第１吸着素子（81）で吸着動作を行うとともに第２吸着素子（82）で再生動作を行う第１動作と、第２吸着素子（82）で吸着動作を行うとともに第１吸着素子（81）で再生動作を行う第２動作とを交互に切り換え、第１空気または第２空気を室内へ供給することによって除湿運転または加湿運転を行う。
【００５６】
《除湿運転》
図１，図２に示すように、除湿運転時において、給気ファン（95）を駆動すると、室外空気が室外側吸込口（13）を通じてケーシング（10）内に取り込まれる。この室外空気は、第１空気として室外側下部流路（42）へ流入する。一方、排気ファン（96）を駆動すると、室内空気が室内側吸込口（15）を通じてケーシング（10）内に取り込まれる。この室内空気は、第２空気として室内側下部流路（47）へ流入する。
【００５７】
また、除湿運転時において、冷媒回路（100）では、再生熱交換器（102）が凝縮器となり、第１熱交換器（103）が蒸発器となる一方、第２熱交換器（104）が休止している。この冷媒回路（100）の動作については後述する。
【００５８】
除湿運転の第１動作について、図１，図５を参照しながら説明する。この第１動作では、第１吸着素子（81）についての吸着動作と、第２吸着素子（82）についての再生動作とが行われる。つまり、第１動作では、第１吸着素子（81）で空気が減湿されると同時に、第２吸着素子（82）の吸着剤が再生される。
【００５９】
図１に示すように、第１仕切板（20）では、第１右下開口（24）と第１左上開口（25）とが連通状態となり、残りの開口（21,22,23,26）が遮断状態となっている。この状態では、第１右下開口（24）によって室外側下部流路（42）と右下流路（54）とが連通し、第１左上開口（25）によって左上流路（55）と室外側上部流路（41）とが連通する。
【００６０】
第２仕切板（30）では、第２右側開口（31）と第２右上開口（33）とが連通状態となり、残りの開口（32,34,35,36）が遮断状態となっている。この状態では、第２右側開口（31）によって室内側下部流路（47）と右側流路（51）とが連通し、第２右上開口（33）によって右上流路（53）と室内側上部流路（46）とが連通する。
【００６１】
右側シャッタ（61）は閉鎖状態となり、左側シャッタ（62）は開口状態となっている。この状態では、中央流路（57）における再生熱交換器（102）の下側部分と左下流路（56）とが、左側シャッタ（62）を介して連通する。
【００６２】
ケーシング（10）に取り込まれた第１空気は、室外側下部流路（42）から第１右下開口（24）を通って右下流路（54）へ流入する。一方、ケーシング（10）に取り込まれた第２空気は、室内側下部流路（47）から第２右側開口（31）を通って右側流路（51）へ流入する。
【００６３】
図５(ａ)にも示すように、右下流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で減湿された第１空気は、右上流路（53）へ流入する。
【００６４】
一方、右側流路（51）の第２空気は、第１吸着素子（81）の冷却側通路（86）へ流入する。この冷却側通路（86）を流れる間に、第２空気は、調湿側通路（85）で第１空気の水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から左下流路（56）へ流入する。
【００６５】
第１吸着素子（81）及び再生熱交換器（102）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。吸着剤から脱離した水蒸気は、第２空気と共に左上流路（55）へ流入する。
【００６６】
図１に示すように、右上流路（53）へ流入した減湿後の第１空気は、第２右上開口（33）を通って室内側上部流路（46）へ送り込まれる。この第１空気は、室内側上部流路（46）を流れる間に第１熱交換器（103）を通過し、冷媒との熱交換によって冷却される。減湿されて冷却された第１空気は、その後、室内側吹出口（14）を通って室内へ供給される。
【００６７】
一方、左上流路（55）へ流入した第２空気は、第１左上開口（25）を通って室外側上部流路（41）へ流入する。この第２空気は、室外側上部流路（41）を流れる間に第２熱交換器（104）を通過する。その際、第２熱交換器（104）は休止しており、第２空気は加熱も冷却もされない。そして、第１吸着素子（81）の冷却と第２吸着素子（82）の再生に利用された第２空気は、室外側吹出口（16）を通って室外へ排出される。
【００６８】
除湿運転の第２動作について、図２，図５を参照しながら説明する。この第２動作では、第１動作時とは逆に、第２吸着素子（82）についての吸着動作と、第１吸着素子（81）についての再生動作とが行われる。つまり、第２動作では、第２吸着素子（82）で空気が減湿されると同時に、第１吸着素子（81）の吸着剤が再生される。
【００６９】
図２に示すように、第１仕切板（20）では、第１右上開口（23）と第１左下開口（26）とが連通状態となり、残りの開口（21,22,24,25）が遮断状態となっている。この状態では、第１右上開口（23）によって右上流路（53）と室外側上部流路（41）とが連通し、第１左下開口（26）によって室外側下部流路（42）と左下流路（56）とが連通する。
【００７０】
第２仕切板（30）では、第２左側開口（32）と第２左上開口（35）とが連通状態となり、残りの開口（31,33,34,36）が遮断状態となっている。この状態では、第２左側開口（32）によって室内側下部流路（47）と左側流路（52）とが連通し、第２左上開口（35）によって左上流路（55）と室内側上部流路（46）とが連通する。
【００７１】
左側シャッタ（62）は閉鎖状態となり、右側シャッタ（61）は開口状態となっている。この状態では、中央流路（57）における再生熱交換器（102）の下側部分と右下流路（54）とが、右側シャッタ（61）を介して連通する。
【００７２】
ケーシング（10）に取り込まれた第１空気は、室外側下部流路（42）から第１左下開口（26）を通って左下流路（56）へ流入する。一方、ケーシング（10）に取り込まれた第２空気は、室内側下部流路（47）から第２左側開口（32）を通って左側流路（52）へ流入する。
【００７３】
図５(ｂ)にも示すように、左下流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で減湿された第１空気は、左上流路（55）へ流入する。
【００７４】
一方、左側流路（52）の第２空気は、第２吸着素子（82）の冷却側通路（86）へ流入する。この冷却側通路（86）を流れる間に、第２空気は、調湿側通路（85）で第１空気の水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から右下流路（54）へ流入する。
【００７５】
第２吸着素子（82）及び再生熱交換器（102）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。吸着剤から脱離した水蒸気は、第２空気と共に右上流路（53）へ流入する。
【００７６】
図２に示すように、左上流路（55）へ流入した減湿後の第１空気は、第２左上開口（35）を通って室内側上部流路（46）へ送り込まれる。この第１空気は、室内側上部流路（46）を流れる間に第１熱交換器（103）を通過し、冷媒との熱交換によって冷却される。減湿されて冷却された第１空気は、その後、室内側吹出口（14）を通って室内へ供給される。
【００７７】
一方、右上流路（53）へ流入した第２空気は、第１右上開口（23）を通って室外側上部流路（41）へ流入する。この第２空気は、室外側上部流路（41）を流れる間に第２熱交換器（104）を通過する。その際、第２熱交換器（104）は休止しており、第２空気は加熱も冷却もされない。そして、第２吸着素子（82）の冷却と第１吸着素子（81）の再生に利用された第２空気は、室外側吹出口（16）を通って室外へ排出される。
【００７８】
《加湿運転》
図３，図４に示すように、加湿運転時において、給気ファン（95）を駆動すると、室外空気が室外側吸込口（13）を通じてケーシング（10）内に取り込まれる。この室外空気は、第２空気として室外側下部流路（42）へ流入する。一方、排気ファン（96）を駆動すると、室内空気が室内側吸込口（15）を通じてケーシング（10）内に取り込まれる。この室内空気は、第１空気として室内側下部流路（47）へ流入する。
【００７９】
また、加湿運転時において、冷媒回路（100）では、再生熱交換器（102）が凝縮器となり、第２熱交換器（104）が蒸発器となる一方、第１熱交換器（103）が休止している。この冷媒回路（100）の動作については後述する。
【００８０】
加湿運転の第１動作について、図３，図５を参照しながら説明する。この第１動作では、第１吸着素子（81）についての吸着動作と、第２吸着素子（82）についての再生動作とが行われる。つまり、第１動作では、第２吸着素子（82）で空気が加湿され、第１吸着素子（81）の吸着剤が水蒸気を吸着する。
【００８１】
図３に示すように、第１仕切板（20）では、第１右側開口（21）と第１右上開口（23）とが連通状態となり、残りの開口（22,24,25,26）が遮断状態となっている。この状態では、第１右側開口（21）によって室外側下部流路（42）と右側流路（51）とが連通し、第１右上開口（23）によって右上流路（53）と室外側上部流路（41）とが連通する。
【００８２】
第２仕切板（30）では、第２右下開口（34）と第２左上開口（35）とが連通状態となり、残りの開口（31,32,33,36）が遮断状態となっている。この状態では、第２右下開口（34）によって室内側下部流路（47）と右下流路（54）とが連通し、第２左上開口（35）によって左上流路（55）と室内側上部流路（46）とが連通する。
【００８３】
右側シャッタ（61）は閉鎖状態となり、左側シャッタ（62）は開口状態となっている。この状態では、中央流路（57）における再生熱交換器（102）の下側部分と左下流路（56）とが、左側シャッタ（62）を介して連通する。
【００８４】
ケーシング（10）に取り込まれた第１空気は、室内側下部流路（47）から第２右下開口（34）を通って右下流路（54）へ流入する。一方、ケーシング（10）に取り込まれた第２空気は、室外側下部流路（42）から第１右側開口（21）を通って右側流路（51）へ流入する。
【００８５】
図５(ａ)にも示すように、右下流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で水分を奪われた第１空気は、右上流路（53）へ流入する。
【００８６】
一方、右側流路（51）の第２空気は、第１吸着素子（81）の冷却側通路（86）へ流入する。この冷却側通路（86）を流れる間に、第２空気は、調湿側通路（85）で第１空気の水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から左下流路（56）へ流入する。
【００８７】
第１吸着素子（81）及び再生熱交換器（102）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。そして、吸着剤から脱離した水蒸気が第２空気に付与され、第２空気が加湿される。第２吸着素子（82）で加湿された第２空気は、その後に左上流路（55）へ流入する。
【００８８】
図３に示すように、左上流路（55）へ流入した第２空気は、第２左上開口（35）を通って室内側上部流路（46）へ流入する。この第２空気は、室内側上部流路（46）を流れる間に第１熱交換器（103）を通過する。その際、第１熱交換器（103）は休止しており、第２空気は加熱も冷却もされない。そして、第２吸着素子（82）で加湿された第２空気は、室内側吹出口（14）を通って室内へ供給される。
【００８９】
一方、右上流路（53）へ流入した第１空気は、第１右上開口（23）を通って室外側上部流路（41）へ送り込まれる。この第１空気は、室外側上部流路（41）を流れる間に第２熱交換器（104）を通過し、冷媒との熱交換によって冷却される。その後、水分と熱を奪われた第１空気は、室外側吹出口（16）を通って室外へ排出される。
【００９０】
加湿運転の第２動作について、図４，図５を参照しながら説明する。この第２動作では、第１動作時とは逆に、第２吸着素子（82）についての吸着動作と、第１吸着素子（81）についての再生動作とが行われる。つまり、この第２動作では、第１吸着素子（81）で空気が加湿され、第２吸着素子（82）の吸着剤が水蒸気を吸着する。
【００９１】
図４に示すように、第１仕切板（20）では、第１左側開口（22）と第１左上開口（25）とが連通状態となり、残りの開口（21,23,24,26）が遮断状態となっている。この状態では、第１左側開口（22）によって室外側下部流路（42）と左側流路（52）とが連通し、第１左上開口（25）によって左上流路（55）と室外側上部流路（41）とが連通する。
【００９２】
第２仕切板（30）では、第２右上開口（33）と第２左下開口（36）とが連通状態となり、残りの開口（31,32,34,35）が遮断状態となっている。この状態では、第２右上開口（33）によって右上流路（53）と室内側上部流路（46）とが連通し、第２左下開口（36）によって室内側下部流路（47）と左下流路（56）とが連通する。
【００９３】
左側シャッタ（62）は閉鎖状態となり、右側シャッタ（61）は開口状態となっている。この状態では、中央流路（57）における再生熱交換器（102）の下側部分と右下流路（54）とが、右側シャッタ（61）を介して連通する。
【００９４】
ケーシング（10）に取り込まれた第１空気は、室内側下部流路（47）から第２左下開口（36）を通って左下流路（56）へ流入する。一方、ケーシング（10）に取り込まれた第２空気は、室外側下部流路（42）から第１左側開口（22）を通って左側流路（52）へ流入する。
【００９５】
図５(ｂ)にも示すように、左下流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で水分を奪われた第１空気は、左上流路（55）へ流入する。
【００９６】
一方、左側流路（52）の第２空気は、第２吸着素子（82）の冷却側通路（86）へ流入する。この冷却側通路（86）を流れる間に、第２空気は、調湿側通路（85）で第１空気の水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から右下流路（54）へ流入する。
【００９７】
第２吸着素子（82）及び再生熱交換器（102）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。そして、吸着剤から脱離した水蒸気が第２空気に付与され、第２空気が加湿される。第１吸着素子（81）で加湿された第２空気は、その後に右上流路（53）へ流入する。
【００９８】
図４に示すように、右上流路（53）へ流入した第２空気は、第２右上開口（33）を通って室内側上部流路（46）へ流入する。この第２空気は、室内側上部流路（46）を流れる間に第１熱交換器（103）を通過する。その際、第１熱交換器（103）は休止しており、第２空気は加熱も冷却もされない。そして、第１吸着素子（81）で加湿された第２空気は、室内側吹出口（14）を通って室内へ供給される。
【００９９】
一方、左上流路（55）へ流入した第１空気は、第１左上開口（25）を通って室外側上部流路（41）へ送り込まれる。この第１空気は、室外側上部流路（41）を流れる間に第２熱交換器（104）を通過し、冷媒との熱交換によって冷却される。その後、水分と熱を奪われた第１空気は、室外側吹出口（16）を通って室外へ排出される。
【０１００】
《冷媒回路の動作》
冷媒回路（100）の動作について、図７，図８を参照しながら説明する。尚、図８に示す第１空気及び第２空気の流れは、第２動作時のものである。また、図８では電動膨張弁（110）は省略している。
【０１０１】
除湿運転時の動作について説明する。除湿運転時において、四方切換弁（120）は、第１ポート（121）と第４ポート（124）が互いに連通して第２ポート（122）と第３ポート（123）が互いに連通する状態となる。また、電動膨張弁（110）は、その開度が運転条件に応じて適宜調節される。
【０１０２】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）が蒸発器となり、第２熱交換器（104）が休止状態となる（図８(ａ)参照）。
【０１０３】
圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通って電動膨張弁（110）へ送られる。この冷媒は、電動膨張弁（110）を通過する際に減圧される。電動膨張弁（110）で減圧された冷媒は、四方切換弁（120）を通って第１熱交換器（103）へ送られる。第１熱交換器（103）へ流入した冷媒は、第１空気との熱交換を行い、第１空気から吸熱して蒸発する。第１熱交換器（103）で蒸発した冷媒は、圧縮機（101）へ吸入されて圧縮され、その後に圧縮機（101）から吐出される。
【０１０４】
加湿運転時の動作について説明する。加湿運転時において、四方切換弁（120）は、第１ポート（121）と第２ポート（122）が互いに連通して第３ポート（123）と第４ポート（124）が互いに連通する状態となる。また、電動膨張弁（110）は、その開度が運転条件に応じて適宜調節される。
【０１０５】
この状態で圧縮機（101）を運転すると、冷媒回路（100）で冷媒が循環して冷凍サイクルが行われる。その際、冷媒回路（100）では、再生熱交換器（102）が凝縮器となり、第２熱交換器（104）が蒸発器となり、第１熱交換器（103）が休止状態となる（図８(ｂ)参照）。
【０１０６】
圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通って電動膨張弁（110）へ送られる。この冷媒は、電動膨張弁（110）を通過する際に減圧される。電動膨張弁（110）で減圧された冷媒は、四方切換弁（120）を通って第２熱交換器（104）へ送られる。第２熱交換器（104）へ流入した冷媒は、第１空気との熱交換を行い、第１空気から吸熱して蒸発する。第２熱交換器（104）で蒸発した冷媒は、圧縮機（101）へ吸入されて圧縮され、その後に圧縮機（101）から吐出される。
【０１０７】
このように、加湿運転時に冷媒回路（100）で循環する冷媒は、第２熱交換器（104）で第１空気から吸熱し、再生熱交換器（102）で第２空気へ放熱する。つまり、第２熱交換器（104）では室外へ排気される第１空気からの熱回収が行われ、第２熱交換器（104）で回収された熱が再生熱交換器（102）における第２空気の加熱に利用される。
【０１０８】
−ドレン水の処理−
この調湿装置は、例えば室外が非常に高湿の状態で除湿運転を行ったときに吸着素子（81,82）で吸着しきれなかった第１空気中の水分により蒸発器（第１熱交換器）（103）に露が付いたり、加湿運転時に室外が低温のために蒸発器（第２熱交換器）（104）が着霜し、これをデフロストしたりしたときに、ドレン水（デフロスト水を含む）が発生するのに対して、このドレン水を液体のままで機外に放出せずに、装置内で処理することができるように構成されている。
【０１０９】
このため、ドレンパン（71）、ドレンポンプ（72）、及びドレン配管（73）等が設けられている。
【０１１０】
なお、デフロスト運転としては、ヒータによるデフロスト運転、逆サイクルデフロスト運転、ホットガスデフロスト運転、あるいはその他のデフロスト運転を任意に選択して行うことが可能であるが、ここではその具体内容については説明を省略する。
【０１１１】
《除湿運転時のドレン水処理》
まず、除湿運転時のドレン水の処理について説明する。
【０１１２】
図９（ａ）に示すように、この調湿装置は、除湿運転時に第１空気中の水分により第１熱交換器（103）で発生したドレン水を、第２空気の経路中に放出して蒸発させるように構成されている。
【０１１３】
具体的には、上記ドレン水を、符号（A1）の矢印で示すように、第２空気の経路中で再生熱交換器（102）と再生動作中の吸着素子（81,82）の間に供給することができるように構成されている。このように構成すると、第１熱交換器（103）で発生したドレン水は、再生熱交換器（102）の下流側で、該再生熱交換器（102）により加熱された第２空気に含まれて、室外へ排出される。したがって、ドレン水が原因で装置に錆が発生したり、ドレン水が室内へ滴下したりすることはない。
【０１１４】
また、上記ドレン水は、符号（A2）の矢印で示すように、第２空気の経路中で再生熱交換器（102）に直接供給したり、符号（A3）の矢印で示すように、第２空気の経路中で再生熱交換器（102）の上流側（図では吸着側の吸着素子（81,82）の上流側としているが、その下流側としてもよい）に供給したりすることも可能である。さらに、上記ドレン水は、符号（A4）の矢印で示すように、第２空気の経路中で再生動作中の吸着素子（81,82）の下流側に供給するように構成してもよい。これらの場合でも、ドレン水が原因で装置に錆が発生したり、ドレン水が室内へ滴下したりすることはない。
【０１１５】
《加湿運転時のドレン水処理の参考例》
次に、加湿運転時のドレン水の処理について説明する。
【０１１６】
図９（ｂ）に示すように、この調湿装置は、加湿運転時に第１空気が第２熱交換器（104）を通過して着霜した際にデフロスト運転を行って発生したドレン水を、除湿運転時と同様に第２空気に含ませて室内に供給するようにしている。
【０１１７】
具体的には、上記ドレン水を、符号（B1）の矢印で示すように、第２空気の経路中で再生熱交換器（102）と再生動作中の吸着素子（81,82）の間に供給することができるように構成されている。このように構成すると、第２熱交換器（104）で発生したドレン水は、再生熱交換器（102）の下流側で、該再生熱交換器（102）により加熱された第２空気に含まれて、室内へ供給される。したがって、ドレン水が原因で装置に錆が発生したり、ドレン水が室内へ滴下したりすることはない。
【０１１８】
また、上記ドレン水は、符号（B2）の矢印で示すように、第２空気の経路中で再生熱交換器（102）に直接供給したり、符号（B3）の矢印で示すように、第２空気の経路中で再生熱交換器（102）の上流側に供給したりすることも可能である。さらに、上記ドレン水は、符号（B4）の矢印で示すように、第２空気の経路中で再生動作中の吸着素子（81,82）の下流側に供給するように構成してもよい。これらの場合でも、ドレン水が原因で装置に錆が発生したり、ドレン水が室内へ滴下したりすることはない。
【０１１９】
《加湿運転時のドレン水処理における本発明の特徴》
加湿運転時には、ドレン水を吸着側の第１空気に戻すようにしてもよい。この場合、具体的には図１０に符号（C）の矢印で示すように、第１空気中の水分により第２熱交換器（104）で発生したドレン水は、第１空気の経路中で吸着動作中の吸着素子（81,82）の上流側に供給される。そして、ドレン水は、該第１空気中に含まれて、吸着素子（81,82）に吸着される。
【０１２０】
したがって、上記と同様に、ドレン水が原因で装置に錆が発生したり、ドレン水が室内へ滴下したりすることはない。また、この場合には吸着側で用いている吸着素子（81,82）の水分吸着量が増えるため、該素子（81,82）を再生側に切り換えたときの再生量が増えることとなり、その結果、加湿能力を高めることが可能となる。
【０１２１】
−実施形態１の効果−
この実施形態１の調湿装置では、蒸発器である第１，第２熱交換器（103,104）で発生したドレン水を除湿運転時及び加湿運転時に第２空気の経路に入れて該第２空気中で蒸発させるか、もしくは加湿運転時に第１空気の経路に入れて吸着素子（81,82）で吸着させるようにしている。このため、蒸発器（103,104）からドレン水が滴下してケーシング（10）内に錆が発生したり、ケーシング（10）から室内へドレン水が滴下したりする問題を防止できる。
【０１２２】
また、ドレン水を加湿運転時に第１空気の経路に入れてこれを吸着素子（81,82）で吸着する図１０の構成にすると、吸着側と再生側を切り換えたときにこの水分を第２空気に与えることができるので、加湿量を増やすことが可能となる。
【０１２３】
また、本実施形態１では、２つの吸着素子（81,82）を用いてバッチ式の処理を行うようにしているので加湿運転及び除湿運転を連続して行うことができ、さらに第２空気を第１空気の冷却用流体として利用しているので除湿運転時の吹き出し温度が上昇するのも防止できる。
【０１２４】
【発明の実施の形態２】
上記実施形態１の調湿装置では、第１空気の水分を吸着する際に発生する吸着熱を冷却流体で回収するように構成しているが、調湿装置は、図１１に示すように、吸着熱の回収を行わない吸着素子（81,82）を用いた構成としてもよい。
【０１２５】
この場合、吸着素子（81,82）は、図示しないが、例えば平板部材（83）と波板部材（84）とを交互に積層して直方体ブロック状に構成するとともに、全ての波板部材（84）の稜線の方向を揃えることにより調湿側通路（85）のみが設けられた構成となる。そして、この吸着素子（81,82）では、平板部材（83）の両面と波板部材（84）の両面に吸着剤が塗布される。
【０１２６】
この構成において、図１１（ａ）に示す除湿運転時には第１空気が吸着素子（81,82）の一方を通過する際に水分が吸着されて減湿され、この第１空気が第１熱交換器（103）で冷却されて室内へ供給される。また、第２空気は再生熱交換器（102）で加熱された後、吸着素子（81,82）の他方を通過し、該素子（81,82）から水分を脱離させて吸着素子（81,82）を再生する。第２空気は、吸着素子を再生した後、室外へ放出される。そして、吸着側と再生側が交互に切り換えられて連続運転が行われる。
【０１２７】
また、図１１（ｂ）に示す加湿運転時には第２空気が再生熱交換器（103）で加熱された後、吸着素子（81,82）の一方を通過し、該吸着素子（81,82）の水分を吸収して加湿され、室内へ供給される。また、第１空気は、吸着素子（81,82）の他方を通過する際に水分が該吸着素子（81,82）に吸着され、第２熱交換器（104）で冷媒と熱交換して冷却され、室外へ放出される。
【０１２８】
以上の構成において、除湿運転時に蒸発器である第１熱交換器（103）が結露してドレン水が発生すると、該ドレン水は、第２空気の経路中に放出されて蒸発する。
【０１２９】
具体的には、上記ドレン水は、符号(A1)の矢印で示すように、ドレンパン（71）、ドレンポンプ（72）、及びドレン配管（73）等によって、第２空気の経路中で再生熱交換器（102）と再生動作中の吸着素子（81,82）の間に供給される。このように構成すると、第１熱交換器（103）で発生したドレン水は、再生熱交換器（102）の下流側で、該再生熱交換器（102）により加熱された第２空気に含まれて、室外へ排出される。したがって、ドレン水が原因で装置に錆が発生したり、ドレン水が室内へ滴下したりすることはない。
【０１３０】
ドレン水は、符号（A2）の矢印で示すように、第２空気の経路中で再生熱交換器（102）に直接供給したり、符号（A3）の矢印で示すように、第２空気の経路中で再生熱交換器（102）の上流側に供給することも可能であるし、符号（A4）の矢印で示すように、第２空気の経路中で再生動作中の吸着素子（81,82）の下流側に供給することも可能である。これらの場合でも、ドレン水が原因で装置に錆が発生したり、ドレン水が室内へ滴下したりすることはない。
【０１３１】
また、加湿運転時に蒸発器である第２熱交換器（104）でドレン水が発生すると、該ドレン水は、同様に第２空気の経路中に放出されて蒸発する（実施形態１の参考例とも同様）。
【０１３２】
具体的には、上記ドレン水は、符号(B1)の矢印で示すように、第２空気の経路中で再生熱交換器（102）と再生動作中の吸着素子（81,82）の間に供給される。このように構成すると、第２熱交換器（104）で発生したドレン水は、再生熱交換器（102）の下流側で、該再生熱交換器（102）により加熱された第２空気に含まれて、室内へ供給される。したがって、ドレン水が原因で装置に錆が発生したり、ドレン水が室内へ滴下したりすることはない。
【０１３３】
ドレン水は、符号（B2）の矢印で示すように、第２空気の経路中で再生熱交換器（102）に直接供給したり、符号（B3）の矢印で示すように、第２空気の経路中で再生熱交換器（102）の上流側に供給することも可能であるし、符号（B4）の矢印で示すように、第２空気の経路中で再生動作中の吸着素子（81,82）の下流側に供給することも可能である。これらの場合でも、ドレン水が原因で装置に錆が発生したり、ドレン水が室内へ滴下したりすることはない。
【０１３４】
さらに、加湿運転時には、本発明の特徴事項として、ドレン水を図１１（ｂ）の符号（C）の矢印で示すように第１空気の経路中で吸着素子（81,82）の上流側に供給するようにしてもよい。このようにすると、吸着側の吸着素子（81,82）での水分吸着量が増えるため、該吸着素子（81,82）を再生側に切り換えたときに第２空気の加湿量を増やすことが可能となる。
【０１３５】
【発明の実施の形態３】
本発明の実施形態３は、図１２に示すように、２つの吸着素子（81,82）を吸着側と再生側で交互に切り換えて使用する代わりに、ロータ状に形成した吸着素子（以下、吸着ロータという）（90）を用いるようにした例である。
【０１３６】
この吸着ロータ（90）は、回転軸（91）を中心として連続的または間欠的に回転するように構成されている。吸着ロータ（90）は、上記実施形態２の吸着素子（81,82）を円板状にしたもので、空気を除加湿する空気通路をその軸方向に沿って有している。そして、該吸着ロータ（90）は、第１空気側の空気流路と第２空気側の空気流路にまたがって配置されている。なお、図示の例は吸着ロータ（90）に実施形態１で説明した冷却側通路を設けていないが、例えば吸着ロータの径方向に沿って冷却側通路を設けてもよい。
【０１３７】
この構成において、図１２（ａ）に示すように、除湿運転時には第１空気が吸着ロータ（90）の一部を通過する際に水分が吸着されて減湿され、この第１空気が第１熱交換器（103）で冷却されて室内へ供給される。また、第２空気（RA）は再生熱交換器（102）で加熱された後、吸着ロータ（90）の他の一部を通過し、該吸着ロータ（90）の水分を脱離させて該吸着ロータ（90）を再生する。第２空気は、吸着ロータ（90）を再生した後、室外へ放出される。
【０１３８】
上記吸着ロータ（90）は、回転することにより吸着動作を行う部分と再生動作を行う部分が連続的または断続的に変化する。このため、水分を吸着した部分を再生した後、再度吸着に用いることができるので、連続運転が可能である。
【０１３９】
この除湿運転時に第１熱交換器（103）が結露してドレン水が発生すると、該ドレン水は、第２空気の経路中に放出され、蒸発する。このため、調湿装置は、上記各実施形態１，２と同様に、上記ドレン水を符号（A1）の矢印で示すように第２空気の経路中で再生熱交換器（102）と吸着ロータ（90）の間に供給するように構成されている。
【０１４０】
また、調湿装置は、ドレン水を、符号（A2）の矢印で示すように第２空気の経路中で再生熱交換器（102）に直接供給したり、符号（A3）の矢印で示すように、第２空気の経路中で再生熱交換器（102）の上流側に供給したりすることも可能である。さらに、上記ドレン水は、符号（A4）の矢印で示すように、第２空気の経路中で吸着ロータ（90）の下流側に供給するように構成してもよい。
【０１４１】
一方、加湿運転時には、図１２（ｂ）に示すように第２空気が再生熱交換器（102）で加熱された後、吸着ロータ（90）の一部を通過する。これにより、第２空気が該吸着ロータ（90）の水分を吸収して加湿され、室内へ供給される。また、第１空気は、吸着ロータ（90）の他の一部を通過する際に水分が該吸着ロータ（90）に吸着され、さらに第２熱交換器（104）と熱交換した後に室外へ放出される。
【０１４２】
そして、この調湿装置は、加湿運転時には、第１空気が第２熱交換器（104）を通過することにより発生したドレン水が、実施形態１の参考例と同様に、第２空気の経路中に放出して蒸発するように構成されている。具体的には、上記ドレン水は、符号（B1）の矢印で示すように第２空気の経路中で再生熱交換器（102）と吸着ロータ（90）の間に供給される。また、ドレン水は、符号（B2）の矢印で示すように第２空気の経路中で再生熱交換器（102）に直接供給したり、符号（B3）の矢印で示すように再生熱交換器（102）の上流側に供給したり、符号（B4）の矢印で示すように吸着ロータ（90）の下流側に供給したりすることも可能である。さらに、上記ドレン水は、本発明の特徴事項として、加湿運転時には符号（C）の矢印で示すように第１空気の経路中に放出して蒸発させるようにしてもよい。
【０１４３】
本実施形態においても、第１熱交換器（103）で発生したドレン水は、第２空気に含まれて、室外へ排出されるか、第１空気の経路中に放出される。したがって、ドレン水が原因で装置に錆が発生したり、ドレン水が室内へ滴下したりすることはない。
【０１４４】
【発明のその他の実施の形態】
本発明は、上記実施形態について、以下のような構成としてもよい。
【０１４５】
例えば、上記各実施形態は、除湿運転と加湿運転の両方を行えるように構成した調湿装置に関するものであるが、加湿運転のみを行う装置に本発明を適用しても、ドレン水に関する問題の発生を防止することは可能である。
【図面の簡単な説明】
【図１】  実施形態１に係る調湿装置の構成及び除湿運転中の第１動作を示す分解斜視図である。
【図２】  実施形態１に係る調湿装置での除湿運転中の第２動作を示す分解斜視図である。
【図３】  実施形態１に係る調湿装置での加湿運転中の第１動作を示す分解斜視図である。
【図４】  実施形態１に係る調湿装置での加湿運転中の第２動作を示す分解斜視図である。
【図５】  実施形態１に係る調湿装置の要部を示す概略構成図である。
【図６】  実施形態１に係る調湿装置の吸着素子を示す概略斜視図である。
【図７】  実施形態１に係る冷媒回路の構成を示す配管系統図である。
【図８】  実施形態１に係る調湿装置の運転動作を概念的に示す説明図である。
【図９】  図８の運転動作の際のドレン水の処理を示す説明図である。
【図１０】  加湿運転時のドレン水の処理の変形例を示す説明図である。
【図１１】  実施形態２に係る調湿装置の運転動作とドレン水の処理を示す説明図である。
【図１２】  実施形態３に係る調湿装置の運転動作とドレン水の処理を示す説明図である。
【符号の説明】
（10）  ケーシング
（81）  第１吸着素子
（82）  第２吸着素子
（90）  吸着ロータ（吸着素子）
（100） 冷媒回路
（102） 再生熱交換器（凝縮器）
（103） 第１熱交換器（蒸発器）
（104） 第２熱交換器（蒸発器）
【図１】
0003807319.tif 000002
【図２】
0003807319.tif 000003
【図３】
0003807319.tif 000004
【図４】
0003807319.tif 000005
【図５】
0003807319.tif 000006
【図６】
0003807319.tif 000007
【図７】
0003807319.tif 000008
【図８】
0003807319.tif 000009
【図９】
0003807319.tif 000010
【図１０】
0003807319.tif 000011
【図１１】
0003807319.tif 000012
【図１２】
0003807319.tif 000013